(57)【要約】      （修正有）【課題】すべてのルーバーの閉合角度が正確になり、しかも窓シャッターを全部巻き上げる必要はなく、それぞれのルーバーが整一に、なおかつ確実に閉合することができ、使用と操作がより便利のシャッタールーバーの案内構造を提供する。【解決手段】巻き上げ装置１と、連動機構２と、案内斜面３１を設ける案内ブロック３と、を備える。巻き上げ装置は、扉体１１を有し、扉体に複数のルーバー１１１を設ける。連動機構は、第１連稈組２１と、第２連稈組２２と、第１連稈組及び第２連稈組に枢接する複数のクランクシャフト２３とを含む、それぞれのクランクシャフトをルーバーに連結し、一部のクランクシャフトの末端に保持端を設けられ、保持端は案内ブロックに対応していて、かつ案内斜面に当接する。連動機構の第１連稈組が上向きに所定の行程を移動すると、連動機構が保持端と、案内斜面と当接する作用力によって巻き上げ装置を駆動し、すべてのルーバーを確実に案内して閉合される。【選択図】図１
0003191920.tif 000002
【実用新案登録請求の範囲】
【請求項１】
シャッタールーバーの案内構造であって、
扉体と、前記扉体に連結するフレームとを含む、前記扉体に複数のルーバーを設ける巻き上げ装置と、
第１連稈組と、第２連稈組と、前記第１連稈組及び前記第２連稈組に枢接する複数のクランクシャフトとを含む、前記クランクシャフト一側の末端を前記ルーバーに連結し、他側をそれぞれ第２連稈組に枢接し、一部の前記クランクシャフトの末端に当接端を設けられ、前記当接端が前記第２連稈組に位置する連動機構と、
前記連動機構の前記当接端に対応していて、斜め向きの案内斜面を設け、前記案内斜面が底部に第１端部を形成し、最上部に第２端部を形成して、前記巻き上げ装置の前記フレームの内側に設けることによって、前記当接端を前記案内斜面に当接する案内ブロックと、を備えることを特徴とするシャッタールーバーの案内構造。
【請求項２】
前記連動機構の当接端をすべてのクランクシャフトの末端に設けていて、かつ第２連稈組の外側に位置し、前記当接端をそれぞれ案内ブロックに対応し、前記案内ブロックが一体に成形していて、かつ間隔置きに複数の突起部を設けることによって、前記突起部の側面に案内斜面を形成することを特徴とする、請求項１記載のシャッタールーバーの案内構造。
【請求項３】
前記案内ブロックの上下両端を延ばして、第１留め部と第２留め部を設けることによって、設置された前記複数の案内ブロックの前記第１留め部と、もう一つの前記案内ブロックの前記第２留め部に連結することを特徴とする、請求項１記載のシャッタールーバーの案内構造。
【考案の詳細な説明】
【技術分野】
【０００１】
本考案はシャッタールーバーの案内構造に関し、特に電動式ドアシャッター及び窓シャッターに適用でき、ルーバーを閉合するときに、案内機能を有するルーバーの案内構造に関する。
【背景技術】
【０００２】
従来のシャッター（ドアシャッターまたは窓シャッターなど）を閉合するとき、空間の換気量を増やせるため、間隔置きに複数のルーバーを設けて、これらの隙間を用いて空気の対流を図る。
【考案の概要】
【考案が解決しようとする課題】
【０００３】
しかし、シャッタールーバーを閉合するときは連稈とクランクシャフトと枢接する場所の摩擦力の影響を受けるため、すべてのルーバーが正確な戻り角度を維持することは難しい。しかし、すべてのルーバーを確実に整一に閉合させるには、シャッターをいったん全部巻き上げてから、再び下ろして畳む必要があり、操作時間が長いほか、使用が不便の上、下ろされたすべてのルーバーを同じ回転角度に確保することができない。
【課題を解決するための手段】
【０００４】
本考案の目的は、窓シャッターに案内機能を提供することによって、すべてのルーバーの閉合角度が正確になり、しかも窓シャッターを全部巻き上げる必要はなく、それぞれのルーバーが整一に、なおかつ確実に閉合することができ、使用と操作がより便利のシャッタールーバーの案内構造を提供する。
【０００５】
前述目的を達成するため、本考案のシャッタールーバーの案内構造は、巻き上げ装置と、連動機構と、案内ブロックと、を備える。巻き上げ装置は、扉体と、フレームとを有し、扉体に複数のルーバーを設ける。連動機構は、第１連稈組と、第２連稈組と、第１連稈組及び第２連稈組に枢接する複数のクランクシャフトとを含む、クランクシャフト一側の末端部をルーバーに連結し、一部のクランクシャフトの末端に保持端を設けられ、保持端を第２連稈組の外側に当接する。案内ブロックをフレームの内側に設けていて、かつ連動機構の当接端に対応され、案内ブロックに斜め向きの案内斜面を設け、案内斜面が案内ブロック側の底部に第１端部を形成し、案内ブロック側の最上部に第２端部を形成して、クランクシャフトの当接端を案内ブロックの案内斜面に当接する。
【図面の簡単な説明】
【０００６】
【図１】本考案の立体図である。
【図２】本考案の構成品の局所の立体図（その１）である。
【図３】本考案の構成品の局所を示す立体図（その２）である。
【図４】本考案のルーバーの開放を示す側面図である。
【図５】本考案のルーバーを閉合するとき、構成品の局所を示す立体図（その１）である。
【図６】本考案のルーバーを閉合するとき、構成品の局所を示す立体図（その２）である。
【図７】本考案のルーバーの閉合を示す側面図である。
【図８】本考案の複数の案内ブロックを示す立体図である。
【図９】本考案のもう一つの実施例による案内ブロックの立体図である。
【考案を実施するための形態】
【０００７】
以下、添付図面を参照して本考案の実施の形態を詳細に説明する。
【実施例】
【０００８】
図１ないし４を参照する。図から分かるように、本考案のシャッタールーバーの案内構造は、巻き上げ装置１と、２つの連動機構２と、複数の案内ブロック３と、２つの駆動装置４と、を備える。
【０００９】
そのうち、巻き上げ装置１は、扉体１１と、扉体１１に連結するフレーム１２と、扉体１１に枢接する２つのレール１３と、を備える。係る扉体１１は複数のルーバー１１１を有する。
【００１０】
連動機構２は、巻き上げ装置１に設ける扉体１１の両側に設けられている。それぞれの連動機構２は、連稈組２１と、第２連稈組２２と、複数のクランクシャフト２３とを含む。クランクシャフト２３の一側を第１連稈組２１に枢接してから、ルーバー１１１に連結する。クランクシャフト２３の他側を第２連稈組２２に連結し、クランクシャフト２３の末端に当接端２４を設けられ、当接端２４は第２連稈組２２の外側に位置する。本実施例において、クランクシャフト２３は全部または一部を当接端２４に設けて、それぞれのルーバー１１１を戻すときの誤差をより精確に調節できる。連動機構２の当接端２４は間隔置きに設置していて、かつ交差して取り付ける方式によって、巻き上げ装置１の扉体１１の両側に取り付けている。
【００１１】
複数の案内ブロック３を巻き上げ装置１のフレーム１２の両側に配列されている。それぞれの案内ブロック３に斜め向きの案内斜面３１を有し、案内斜面３１が案内ブロック３寄りの底部に第１端部３１１を形成し、案内ブロック３の最上部付近に第２端部３１２を形成する。案内ブロック３を巻き上げ装置１のフレーム１２の内側に設け、当接端２４を案内ブロック３の案内斜面３１に当接する。
【００１２】
駆動装置４は固定ベース４１と、軸制御具４２と、案内組４３とを含む。固定ベース４１を巻き上げ装置１のフレーム１２に設け、軸制御具４２を連動機構２の第１連稈組２１と、第２連稈組２２と、扉体１１の上方のルーバー１１１に枢接し、軸制御具４２の末端部を固定ベース４１当接する。案内組４３を固定ベース４１の上方に設ける。巻き上げ装置１の扉体１１が駆動モータ（図示しない）の駆動によって、連動機構２の第１連稈組２１を上方に移動し、第２連稈組２２を第１連稈組２１に寄りつけて扉体１１の巻き上げを完了する。
【００１３】
図３と５、本考案の扉体１１に備えるルーバー１１１の開放及び閉合状態を参照する。巻き上げ装置１の扉体１１を下ろすとき、軸制御具４２を固定ベース４１の導入斜面４１１に当てがい、軸制御具４２が連動機構２を制御し作動することによって、複数のルーバー１１１を開放または閉合操作ができる。
【００１４】
引き続き図３と、図５ないし７を参照する。図に示すものは、巻き上げ装置１に備える複数のルーバー１１１を開放状態から閉合状態に切り換える実施態様図である。駆動装置４の軸制御具４２を固定ベース４１の導入斜面４１１にあてがい、連動機構２の第１連稈組２１と第２連稈組２２が広げ状態を形成して、複数のルーバー１１１を広げる状態に連動する。そこで、ルーバー１１１の閉合によって、連動機構２の第１連稈組２１を上方にわずかな行程を移動させ第２連稈組２２が重力作用によって、案内ブロック３の案内斜面３１と連動機構２の当接端２４と当接する作用力をもって、当接端２４を案内ブロック３の案内斜面３１の第１端部３１１から第２端部３１２に移動すると共に、第２連稈組２２を第１連稈組２１に向かって寄りつけ、さらに複数のルーバー１１１を元の位置に戻って閉合し、戻り機能を発生する。
【００１５】
引き続き図８と９、案内ブロック３、５の実施態様図を参照する。図９に示すように、案内ブロック３が上下両端に延ばして第１留め部３２と第２留め部３３を形成し、案内ブロック３の第１留め部３２がもう一つの案内ブロック３の第２留め部３３に連結される。図９に示すように、案内ブロック５は一体に成形していて、かつ間隔置きに複数の突起部５１を設けることによって、それぞれの突起部５１の側面に形成する案内斜面５１１が前述の案内機能を発生される。
【００１６】
よって、本考案の主な技術は、案内斜面３１を用いて当接端２４を案内し、連動機構２の第１連稈組２１と第２連稈組２２が相対に移動するとき、第１連稈組２１がモータの駆動によって上向きに、第２連稈組２２が重力作用を受け及び、案内斜面３１と当接端２４と互いに当接することによって推力を発生して、第２連稈組２２を第１連稈組２１に引き寄せる。これにより、公知技術による過大な摩擦力の発生、及び公知ルーバーがうまく戻れない課題を克服される。さらに、本考案によれば、わずかな行程を巻き上げるだけで、すべてのルーバー１１１を確実に戻すことができる。従来技術にように完全に巻き上げなければ実現できない問題を解消し、本考案の操作の利便性を大幅に向上することができる。
【符号の説明】
【００１７】
１       巻き上げ装置
１１     扉体
１１１   ルーバー
１２     フレーム
１３     レール
２       連動機構
２１     第１連稈組
２２     第２連稈組
２３     クランクシャフト
２４     当接端
３       案内ブロック
３１     案内斜面
３１１   第１端部
３１２   第２端部
３２     第１留め部
３３     第２留め部
４       駆動装置
４１     固定ベース
４１１   導入斜面
４２     軸制御具
４３     案内組
５       案内ブロック
５１     突起部
５１１   案内斜面
【図１】
0003191920.tif 000003
【図２】
0003191920.tif 000004
【図３】
0003191920.tif 000005
【図４】
0003191920.tif 000006
【図５】
0003191920.tif 000007
【図６】
0003191920.tif 000008
【図７】
0003191920.tif 000009
【図８】
0003191920.tif 000010
【図９】
0003191920.tif 000011